(57)【要約】  高周波を発生させるＲＦジェネレーターの陽電極が連結される電極胴体と、前記電極胴体と絶縁されるように前記電極胴体の周りに固設され、ＲＦジェネレータの陰電極が連結される金属チューブと、前記金属チューブの下部側の一部が露出するように前記金属チューブの上部側の一部を包み、前記電極胴体の長さ方向に沿って前後に移動することで前記金属チューブの露出面積を変える外部絶縁チューブとを含み、前記金属チューブの露出面積を調節することで前記電極胴体の電極針の端と前記金属チューブの露出部分により焼灼される部分の位置、焼灼面積及び焼灼速度のうち少なくとも１つを調節することができる電極針が開示される。【選択図】図１
2013517888.tif 000002
【特許請求の範囲】
【請求項１】
高周波を発生させるＲＦジェネレーターの陽電極が連結される電極胴体と、
前記電極胴体と絶縁されるように前記電極胴体の周りに固設され、ＲＦジェネレータの陰電極が連結される金属チューブと、
前記金属チューブの下部側の一部が露出するように前記金属チューブの上部側の一部を包み、前記電極胴体の長さ方向に沿って前後に移動することで前記金属チューブの露出面積を変える外部絶縁チューブと、を含み、
前記金属チューブの露出面積を調節することで前記電極胴体の電極針の端と前記金属チューブの露出部分により焼灼される部分の位置、焼灼面積及び焼灼速度のうち少なくとも１つを調節することを特徴とする電極針。
【請求項２】
前記電極胴体の外周面と前記金属チューブとの間を絶縁するように前記電極胴体のうち前記電極針の端を除いた残りの表面を包む絶縁チューブと、
前記電極針の端と前記金属チューブとの間を絶縁するように前記電極針の端と前記金属チューブの間の前記絶縁チューブの部分に嵌められる接地絶縁チューブと、
をさらに含むことを特徴とする請求項１に記載の電極針。
【請求項３】
前記金属チューブの上部の端に密着され、前記絶縁チューブの外表面を包んで前記金属チューブと前記絶縁チューブの移動を防止する固定絶縁チューブと、
をさらに含むことを特徴とする請求項２に記載の電極針。
【請求項４】
前記電極胴体の内部に挿入され、前記ＲＦジェネレーターと連結される温度センサーと、をさらに含むことを特徴とする請求項１〜３の何れか１項に記載の電極針。
【請求項５】
生体検査針を利用して組織を採取する生体検査を行った後、組織を摘出した部位や臓器に出血が発生した部位の止血のための止血装置において、
生体検査のために患部に位置される挿入管と、
前記挿入管の内部に挿入されて患部組織を摘出した生体検査針を前記挿入管から除去した後、組織を摘出した部位や臓器に出血が発生した部位の止血のために前記挿入管の内部に挿入される電極針と、を含み、
前記電極針は、
高周波を発生させるＲＦジェネレーターの陽電極が連結される電極胴体と、
前記電極胴体と絶縁されるように前記電極胴体の周りに固設され、ＲＦジェネレーターの陰電極が連結される金属チューブと、
前記金属チューブの下部側の一部が露出するように前記金属チューブの上部側の一部を包み、前記電極胴体の長さ方向に沿って前後に移動することで前記金属チューブの露出面積を変える外部絶縁チューブと、
を備えることを特徴とする患部組織摘出部位または出血部位の止血のための止血装置。
【請求項６】
前記電極針は、
前記電極胴体の外周面と前記金属チューブとの間を絶縁するように前記電極胴体のうち前記電極針の端を除いた残りの表面を包む絶縁チューブと、
前記電極針の端と前記金属チューブとの間を絶縁するように前記電極針の端と前記金属チューブの間の前記絶縁チューブの部分に嵌められる接地絶縁チューブと、
をさらに含むことを特徴とする請求項５に記載の患部組織摘出部位または出血部位の止血のための止血装置。
【請求項７】
前記電極針は、前記金属チューブの上部の端に密着され、前記絶縁チューブの外表面を包んで前記金属チューブと前記絶縁チューブの移動を防止する固定絶縁チューブをさらに含むことを特徴とする請求項６に記載の患部組織摘出部位または出血部位の止血のための止血装置。
【請求項８】
前記電極針は、前記電極胴体の内部に挿入され、前記ＲＦジェネレーターと連結される温度センサーをさらに含み、
前記温度センサーにより測定される焼灼温度をモニタリングすることで前記金属チューブの露出面積を調節することを特徴とする請求項５〜７の何れか１項に記載の患部組織摘出部位または出血部位の止血のための止血装置。
【発明の詳細な説明】
【技術分野】
【０００１】
本発明は、高周波（ＲＦ）（高周波及びマイクロ波を含む）熱治療用または止血用に用いられる電極針及びこれを備える止血装置に関し、より詳細には、生体検査後組織が摘出された患部や出血が発生した臓器を高周波熱で焼灼して持続的に出血することを防止し、焼灼により容易に新しい組織を活性化させる電極針及びこれを備える止血装置に関する。
【背景技術】
【０００２】
一般的な生体検査（ｂｉｏｐｓｙ）は、患者において病気のある部位の組織を少し切り取り、直接目や顕微鏡で観察することを言う。
【０００３】
このような生体検査は、細胞診（ｃｙｔｏｄｉａｇｎｏｓｉｓ）とは違って生体内の全部位を検査することができる。
【０００４】
最近では、肝臓や腎臓を針で穿刺して取った材料を検査する針生検（針バイオプシー）も実施されているが、摘出した病的組織は、普通、１０％ホルマリン液で固定しパラフィンで包んで薄く切り、ヘマトキシリンエオシン染色をしてから顕微鏡で検査する。
【０００５】
また、結核、肝炎などでも病理組織学的検査により確定診断を下すが、特に、癌、肉腫などの悪性腫瘍は、病理組織学的検査なくしては確実な診断を下すことができない。
【０００６】
従って、生体検査は、他の臨床検査の結果とは違って、単純なデータではなく診断であるため、その検査は病理医が行う。
【０００７】
即ち、生体検査と組織診または病理組織学的検査は、略同じ意味の言葉であるが、生体検査は現存する患者の病的材料を検査することであるのに対し、組織診と病理組織学的検査は患者だけでなく、解剖した人体や動物実験の材料検査も含む。
【０００８】
しかし、前記生体検査は患部の組織の一部分を摘出する方式で、摘出と同時に摘出部位から出血するが、出血が持続すると、血液により体内が汚染されるという問題点があった。
【０００９】
また、前記生体検査は、出血が持続する場合、摘出部位が汚染されて感染するという問題だけでなく、細胞の再生率が極めて低下するという問題点があった。
【００１０】
これにより、生体検査後、摘出された患部からの出血を最小化するよう、止血機能とともに組織の再生率を活性化させるための止血装置が切実に求められている。
【００１１】
また、従来は、高周波熱治療や止血のために焼灼範囲を調整することができる電極針がない、という問題があった。
【発明の概要】
【発明が解決しようとする課題】
【００１２】
そして、本発明は前記のような従来技術の問題点を勘案して案出したもので、焼灼される部分の位置、焼灼面積及び焼灼速度のうち少なくとも１つを調節することができる電極針及びこれを備える止血装置を提供することをその目的とする。
【００１３】
また、本発明の他の目的は、生体検査のために組織が摘出された患部や出血が発生した臓器から出血が持続することを防止する電極針及びこれを備える止血装置を提供することである。
【００１４】
本発明の他の目的は、患部組織摘出部位を高周波熱で焼灼して出血を最小化したり、防止し、２次的な体内汚染を防止する電極針及びこれを備える止血装置を提供することである。
【００１５】
本発明のさらに他の目的は、摘出部位を高周波熱で焼灼し、細胞の再生率を増大させる電極針及びこれを備える止血装置を提供することである。
【課題を解決するための手段】
【００１６】
上記の目的を達成するための本発明の特徴として、高周波を発生させるＲＦジェネレーターの陽電極が連結される電極胴体と、前記電極胴体と絶縁されるように前記電極胴体の周りに固設され、ＲＦジェネレーターの陰電極が連結される金属チューブと、前記金属チューブの下部側の一部が露出するように前記金属チューブの上部側の一部を包み、前記電極胴体の長さ方向に沿って前後に移動することで前記金属チューブの露出面積を変える外部絶縁チューブとを含み、前記金属チューブの露出面積を調節することで前記電極胴体の電極針の端と前記金属チューブの露出部分により焼灼される部分の位置、焼灼面積及び焼灼速度のうち少なくとも１つを調節することができる電極針を提供する。
【００１７】
好ましくは、電極針は、前記電極胴体の外周面と前記金属チューブとの間を絶縁するように前記電極胴体のうち前記電極針の端を除いた残りの表面を包む絶縁チューブと、前記電極針の端と前記金属チューブとの間を絶縁するように前記電極針の端と前記金属チューブの間の前記絶縁チューブの部分に嵌められる接地絶縁チューブとをさらに含むことができる。
【００１８】
また、電極針は、前記金属チューブの上部の端に密着され、前記絶縁チューブの外表面を包んで前記金属チューブと前記絶縁チューブの移動を防止する固定絶縁チューブをさらに含むことができる。
【００１９】
さらに、電極針は、前記電極胴体の内部に挿入され、前記ＲＦジェネレーターと連結される温度センサーをさらに含むことができる。
【００２０】
本発明の他の特徴として、本発明は、生体検査針を利用して組織を採取する生体検査を行った後、組織を摘出した部位や臓器に出血が発生した部位の止血のための止血装置において、生体検査のために患部に位置される挿入管（Ｓｈｅａｔｈ）と、前記挿入管の内部に挿入されて患部組織を摘出した生体検査針を前記挿入管から除去した後、組織を摘出した部位や臓器に出血が発生した部位の止血のために前記挿入管の内部にされる電極針とを含み、前記電極針は、高周波を発生させるＲＦジェネレーターの陽電極が連結される電極胴体と、前記電極胴体と絶縁されるように前記電極胴体の周りに固設され、ＲＦジェネレーターの陰電極が連結される金属チューブと、前記金属チューブの下部側の一部が露出するように前記金属チューブの上部側の一部を包み、前記電極胴体の長さ方向に沿って前後に移動することで前記金属チューブの露出面積を変える外部絶縁チューブを備えることを特徴とする患部組織摘出部位または出血部位の止血のための止血装置を提供する。
【発明の効果】
【００２１】
本発明の電極針及び止血装置によれば、生体検査のために組織が摘出された患部や出血した臓器から出血が持続することを防止するという効果がある。
【００２２】
加えて、本発明によれば、金属チューブの露出面積を調節することで、前記電極胴体の電極針の端と前記金属チューブの露出部分により焼灼される部分の位置、焼灼面積及び焼灼速度のうち少なくとも１つを調節し、止血や高周波熱治療など多様な施術に用いることができ、施術時の状況に応じて施術の多様性を具現することができるという効果が得られる。
【００２３】
加えて、本発明によれば、患部組織摘出部位を高周波熱で焼灼して出血を最小化及び防止することができ、２次的な体内汚染を防止するという効果がある。
【００２４】
さらに、本発明によれば、摘出部位を高周波熱で焼灼して細胞の再生率を増大させるという効果がある。
【図面の簡単な説明】
【００２５】
【図１】本発明による生体検査後の組織摘出部位や臓器の出血部位の止血のための電極針の斜視図である。
【図２】図１のＡ部分の拡大斜視図である。
【図３】図１に示された電極針の縦断面図である。
【図４】本発明による生体検査後の組織摘出部位や臓器の出血部位の止血のための電極針を利用した止血施術を示した施術図である。
【発明を実施するための形態】
【００２６】
本発明の上述した及び他の目的、特徴及び他の効果は、添付図面に基づいた以下の詳細な説明からより明確に理解することができる。
以下に、本発明の好ましい実施例を添付図面に基づいて詳しく説明する。
【００２７】
図１から図４に示されたように、本発明の一実施例は、生体検査のために挿入管（Ｓｈｅａｔｈ）１０を患部に位置させ、生体検査針２０を利用して組織を採取した後、挿入管１０の内部に挿入され、組織を摘出した部位や臓器に出血が発生した部位を止血するための止血装置及びそれに備えられる電極針３０に関する。
【００２８】
以下、本発明では、一例として、生体検査を行った後、組織摘出部位から発生する出血を止血する電極針３０及び止血装置を説明するが、本発明の一実施例による止血装置及びこれに備えられる電極針３０は、止血用だけでなく、高周波（ＲＦ）熱治療用に用いることができる。
【００２９】
本発明の一実施例による患部組織摘出部位または出血部位の止血のための止血装置は、生体検査のために患部に位置される挿入管（Ｓｈｅａｔｈ）１０と、前記挿入管１０の内部に挿入されて患部組織を摘出した生体検査針２０を前記挿入管１０から除去した後、組織を摘出した部位や臓器に出血が発生した部位の止血のために前記挿入管１０の内部に挿入される電極針３０とを含んで構成される。
【００３０】
最初に、本発明の一実施例による電極針３０の構成について詳しく説明する。本明細書では、本発明の電極針３０が止血用に用いられる場合を例に挙げて説明するが、上述のように、本発明による電極針３０は高周波熱治療用に、即ち、病変部位の焼灼のために用いてもよい。
【００３１】
本発明の一実施例による電極針３０は、高周波を発生させるＲＦジェネレーター（図示せず）の陽電極が連結される電極胴体３１と、前記電極胴体３１と絶縁されるように前記電極胴体３１の周りに固設され、ＲＦジェネレーターの陰電極（−）が連結される金属チューブ３４とを含んで構成される。前記金属チューブ３４は絶縁チューブ３３を介して電極胴体３１の周りに固設され、電極胴体３１と絶縁されるように配置される。
【００３２】
また、本発明の一実施例による電極針３０は、前記電極胴体３１と金属チューブ３４との絶縁のために、絶縁チューブ３３及び接地絶縁チューブ３５を備える。
【００３３】
前記絶縁チューブ３３は、高周波を発生させるＲＦジェネレーターの陽電極（＋）が連結される電極胴体３１の外周面と前記金属チューブ３４との間を絶縁するように前記電極胴体３１のうち前記電極針の端３２を除いた残りの表面を包むように構成される。
【００３４】
前記絶縁チューブ３３は、電極針の端３２にＲＦ波（高周波及びマイクロ波を含む）が伝達されるとき、病変部位ではない他の人体組織を焼灼することを防止するために構成されたものである。
【００３５】
そして、前記接地絶縁チューブ３５は、前記電極針の端３２と前記金属チューブ３４との間を絶縁するように、前記電極針の端３２と前記金属チューブ３４との間の前記絶縁チューブ３３の部分に嵌められる。
【００３６】
また、前記電極胴体３１の内部には、高周波が発振されて出血部位の焼灼施術をするとき、ＲＦジェネレーターで温度をモニタリングする温度センサー３１ｂが挿設される。
【００３７】
このような電極針３０は電極本体３６に前面結合され、手で握ることができるように形成されたもので、ＲＦジェネレーター（図示せず）からＲＦ波の供給を受けると同時に、温度センサー３１ｂに連結される電極ライン３６ａが電極胴体３１に連結される。
【００３８】
そして、前記電極本体３６は内周面に雌ねじ山が形成され、挿入管１０の本体１１にねじ締結できるように構成して焼灼施術が完了した後、挿入管１０と締結された状態で除去施術ができるようにし、焼灼施術時の電極針３０の方向及び挿入施術時の取っ手の役割をする。
【００３９】
ここで、前記電極ライン３６ａの一端は、電極本体３６に結合された電極胴体３１、金属チューブ３４、温度センサー３１ｂに連結され、他端はＲＦジェネレーターに連結されるコネクター３６ｂに連結される。コネクター３６ｂには（＋）極、（−）極のピンと温度センサー３１ｂに連結される温度センサーピンが一対で形成されてＲＦジェネレーターに接続される。
【００４０】
そして、本発明による電極針３０の電極針の端３２は尖った形状で、電極胴体３１は電極針の端３２の直径より小さい直径で形成され、内部は中空となっており、温度センサー３１ｂが挿入されるように構成される。
【００４１】
即ち、前記電極胴体３１の直径が電極針の端３２より小さく形成されて絶縁チューブ３３や金属チューブ３４が電極胴体３１に結合されたとき、患部への挿入時に、引っかかる現象を発生させないためである。
【００４２】
また、前記電極針３０は、前記金属チューブ３４の上部の端に密着されて絶縁チューブ３３の外表面を包むことで、絶縁チューブ３３の移動を防止するとともに、金属チューブ３４の端を固定する固定絶縁チューブ３７を備える。
【００４３】
即ち、前記固定絶縁チューブ３７は、止血のための施術時に金属チューブ３４の移動を防止するためのものである。
【００４４】
また、前記電極針３０は前記金属チューブ３４の下部側の一部が露出するように上部側を包む外部絶縁チューブ３８を備える。このような前記外部絶縁チューブ３８は、電極胴体３１の長さ方向に沿って前後方向に移動でき、金属チューブ３４の露出面積を調節することで、焼灼の深さや広さを調節することができるように構成される。
【００４５】
本発明の一実施例による電極針３０は、このような外部絶縁チューブ３８の構成により前記金属チューブ３４の露出面積を調節することで、前記電極胴体３１の電極針の端３２と前記金属チューブ３４の露出部分により焼灼される部分の位置、焼灼面積及び焼灼速度のうち少なくとも１つを調節することができる。
【００４６】
具体的には、止血装置または高周波熱治療用装置に用いられるＲＦ波は１００ｋＨｚから数ＭＨｚで、電極針３０は交流（ＡＣ）エネルギーを利用して細胞内部の摩擦熱を発生させ、これを通じて組織を凝固させる。
【００４７】
本発明の一実施例による電極針３０は、金属チューブ３４の露出面積を調節するが、金属チューブ３４の露出面積と電極針の端３２の表面積が同一の場合は、両方により焼灼する。これとは異なって、金属チューブ３４の露出面積と電極針の端３２の表面積が異なる場合は、面積が小さい部分により主に焼灼する。従って、陽電極に該当する電極針の端３２の面積と比較して、陰電極に該当する金属チューブ３４の露出面積を可変させることで焼灼サイズを異ならせることができ、両者の何れか１つの電極のみにより焼灼させることができる。
【００４８】
また、金属チューブ３４の露出面積を調節することで焼灼時間を調節することもできる。即ち、金属チューブ３４の露出面積が小さい場合は大きい場合より焼灼強度が強くなるため、速く焼灼される。これを利用して焼灼時間を調節することもできる。
【００４９】
以下に、上記のように構成された本発明の電極針及び止血装置の作用及び効果について説明する。
【００５０】
図１及び図４に示されたように、生体検査する患部に挿入管１０を挿入施術して端を患部に近接するように位置させる。
【００５１】
次に、前記生体検査針２０を挿入管１０の内部に沿って挿入した後（図４（ａ）参照）、生体検査を行う患部の一部分を摘出してから、挿入管１０は挿入したまま、生体検査針２０を除去する。
【００５２】
次に、高周波熱治療装置の一種であるＲＦジェネレーター（図示せず）のコネクター３６ｂを電極ライン３６ａに連結することで、前記電極針３０はＲＦジェネレーターに連結される。
【００５３】
その後、電極針の端３２と金属チューブ３４が生体検査のために摘出された患部に接触するように、前記電極針３０の電極胴体３１を挿入管１０に沿って挿入する（図４（ｂ）参照）。
【００５４】
次に、前記ＲＦジェネレーターをＲＦ波が発振するように作動すると、陽電極（＋）は電極胴体３１に通電され、陰電極（−）は金属チューブ３４に通電されて高周波熱が発振し組織の摘出された患部を焼灼する。
【００５５】
このとき、前記絶縁チューブ３３の内部に位置する電極胴体３１を包んでいる絶縁チューブ１３により外表面が絶縁され、正常の人体組織に高周波による影響が及ばないようにする。
【００５６】
また、外部絶縁チューブ３８を電極胴体３１の長さ方向に沿って前後に移動させることで金属チューブ３４の露出面積を調節することができ、これにより、前記電極胴体３１の電極針の端３２と前記金属チューブ３４の露出部分により焼灼される部分の位置、焼灼面積及び焼灼速度のうち少なくとも１つを調節することができる。
【００５７】
前記のように、焼灼施術が完了すると、挿入管１０と電極針３０を患部から除去して施術を完了する。
【００５８】
このように組織が摘出された患部では出血が発生するが、出血が持続すると、人体内部が汚染されて摘出患部が汚染されて炎症を起こすことがある。しかし、ＲＦ波を利用して焼灼することで、出血を早く止血することができる。
【００５９】
これにより、出血による人体の汚染、摘出部位の感染を防止するとともに、新しい組織の活性化をもたらすことができる。
【００６０】
本発明の実施例では、電極針３０が生体検査の施術後に使用されることに限られるように見えるが、該電極針３０は生体検査施術に係わらず臓器に出血が発生する場合、出血部位に、挿入管１０を利用せずに挿入施術して出血部位を焼灼することで、止血施術を単独で行うこともできるもので、図面は単なる一実施例に過ぎない。
【００６１】
また、本発明による電極針３０は止血だけでなく、高周波熱治療用、例えば、病変部位の焼灼用にも用いることができる。
【００６２】
以上、本発明の実施形態について詳細に説明したが、本発明の権利範囲はこれに限定されず、請求の範囲に記載された本発明の技術的思想から外れない範囲内で多様な修正及び変形が可能であるということは、当技術分野の通常の知識を有するものには明らかである。
【符号の説明】
【００６３】
１０  挿入管，２０  生体検査針，３０  電極針，３１  電極胴体，３２  電極針の端，３３  絶縁チューブ，３４  金属チューブ，３５  接地絶縁チューブ，３６  電極本体，３７  固定絶縁チューブ，３８  外部絶縁チューブ
【図１】
2013517888.tif 000003
【図２】
2013517888.tif 000004
【図３】
2013517888.tif 000005
【図４】
2013517888.tif 000006
【国際調査報告】
2013517888.tif 000007
2013517888.tif 000008
2013517888.tif 000009
2013517888.tif 000010
2013517888.tif 000011
2013517888.tif 000012
2013517888.tif 000013
2013517888.tif 000014
2013517888.tif 000015